(57)【要約】    【課題】合板、鋼板といった金属製や樹脂製の型枠のほか、ラス型枠の支持にも使用することができ、かつベース鉄筋の側筋を簡単、確実に保持することができて、ベース鉄筋の枠組み布設作業の効率化を図ることができる基礎構築用型枠支持具を提供すること。    【解決手段】土間に打ち込み固定される固定板１２と前記固定板１２上に立設されて型枠を支持する略Ｔ字状の型枠支持部１３と鉄筋２１を保持する鉄筋保持部１４と前記型枠支持部１３と鉄筋保持部１４とに繋がる延設部１５とからなり、前記鉄筋保持部１４が、前記地盤に当接する２本の脚部１４ａ、１４ｂの分岐部分１４ｃで鉄筋２１を保持する二股構造を有していることを特徴とする。  【選択図】図１
2008248526.tif 000002
【特許請求の範囲】
【請求項１】
鉄筋を配した基礎の構築に使用される型枠支持具であって、
地盤に打ち込み固定される固定板と、
前記固定板上に立設されて型枠を支持する略Ｔ字状の型枠支持部と、
鉄筋を保持する鉄筋保持部と、
前記型枠支持部と鉄筋保持部とに繋がる延設部と、
からなり、前記鉄筋保持部が、前記地盤に当接する２本の脚部の分岐部分で鉄筋を保持する二股構造を有していることを特徴とする基礎構築用型枠支持具。
【請求項２】
鉄筋保持部の２本の脚部がバネ弾性を有しており、前記脚部をバネ力に抗して拡開して鉄筋を分岐部分に差し入れることで、前記鉄筋が前記脚部のバネ力で保持されるようにしたことを特徴とする請求項１記載の基礎構築用型枠支持具。
【請求項３】
鉄筋保持部の２本の脚部の分岐部分に鉄筋の抜け落ちを防止する１または複数の係止突起を設けたことを特徴とする請求項１または２記載の基礎構築用型枠支持具。
【請求項４】
鉄筋保持部の２本の脚部の分岐部分が被り厚さを確保する高さ位置に設けられていることを特徴とする請求項１〜３のいずれかに記載の基礎構築用型枠支持具。
【請求項５】
延設部が被り厚さを確保する長さを有することを特徴とする請求項１〜４のいずれかに記載の基礎構築用型枠支持具。
【請求項６】
地盤に打ち込み固定される固定板が、孔またはＵ字状の溝を備えていることを特徴とする請求項１〜５のいずれかに記載の基礎構築用型枠支持具。
【請求項７】
型枠支持部が、型枠の高さに対応して別の型枠支持部を連結するためのジョイント部を有することを特徴とする請求項１〜６のいずれかに記載の基礎構築用型枠支持具。
【発明の詳細な説明】
【技術分野】
【０００１】
本発明は、鉄筋を配した基礎の構築に使用される型枠支持具に関し、詳細には従来の剛性型枠及びラス型枠のいずれにも使用することができ、かつベース鉄筋の側筋を簡単、確実に保持することができて、ベース鉄筋の枠組み布設作業の効率化を図ることができる基礎構築用型枠支持具に関する。
【背景技術】
【０００２】
従来の鉄筋を配した基礎の構築作業におけるベース鉄筋の枠組み布設に使用する型枠支持具には、例えば図５及び図６に示すように、底板１をその下部に有する底部２に対し垂直となる枠板当着部３を有し、且つ、斜辺部４には、内方に向けて側筋受溝５が形成されている概ね三角形状の板より成るものが用いられていた（特許文献１参照）。
【０００３】
従来の型枠支持具の場合、斜辺部４に形成した側筋受溝５にベース鉄筋の側筋６を嵌入し、該型枠支持具の垂直辺を構成する枠板当着部３に型枠１を当着させ、この型枠Ｆの背後に固定土を入れることで該型枠Ｆの固定がなされるようになっていた。
【０００４】
ところが、従来の型枠支持具は、合板、鋼板といった金属製や樹脂製の型枠の支持を想定したものであり、近年、軽量で取り扱い性良好であり、しかも埋め殺しが可能であって、合板や鋼板からなる型枠の代わりに多用されつつある金網を用いたラス型枠の場合には、この型枠の背後に固定土を入れて該型枠を固定しようとしても、該ラス型枠が網状であるため、この型枠を越えて固定土が打設側に入ってまうことから、その固定は困難であった。
【特許文献１】特開平１１−７１７７２号公報
【発明の開示】
【発明が解決しようとする課題】
【０００５】
本発明は、このような事情に鑑みなされたものであり、合板、鋼板といった金属製や樹脂製の型枠のほか、ラス型枠の支持にも使用することができ、かつベース鉄筋の側筋を簡単、確実に保持することができて、ベース鉄筋の枠組み布設作業の効率化を図ることができる基礎構築用型枠支持具を提供することを目的とするものである。
【課題を解決するための手段】
【０００６】
上記目的を達成するため、請求項１記載の発明は、鉄筋を配した基礎の構築に使用される型枠支持具であって、
地盤に打ち込み固定される固定板と、
前記固定板上に立設されて型枠を支持する略Ｔ字状の型枠支持部と、
鉄筋を保持する鉄筋保持部と、
前記型枠支持部と鉄筋保持部とに繋がる延設部と、
からなり、前記鉄筋保持部が、前記地盤に当接する２本の脚部の分岐部分で鉄筋を保持する二股構造を有していることを特徴とする基礎構築用型枠支持具をその要旨とした。
【０００７】
請求項２記載の発明は、鉄筋保持部の２本の脚部がバネ弾性を有しており、前記脚部をバネ力に抗して拡開して鉄筋を分岐部分に差し入れることで、前記鉄筋が前記脚部のバネ力で保持されるようにしたことを特徴とする請求項１記載の基礎構築用型枠支持具をその要旨とした。
【０００８】
請求項３記載の発明は、鉄筋保持部の２本の脚部の分岐部分に鉄筋の抜け落ちを防止する１または複数の係止突起を設けたことを特徴とする請求項１または２記載の基礎構築用型枠支持具をその要旨とした。
【０００９】
請求項４記載の発明は、鉄筋保持部の２本の脚部の分岐部分が被り厚さを確保する高さ位置に設けられていることを特徴とする請求項１〜３のいずれかに記載の基礎構築用型枠支持具をその要旨とした。
【００１０】
請求項５記載の発明は、延設部が被り厚さを確保する長さを有することを特徴とする請求項１〜４のいずれかに記載の基礎構築用型枠支持具をその要旨とした。
【００１１】
請求項６記載の発明は、地盤に打ち込み固定される固定板が、孔またはＵ字状の溝を備えていることを特徴とする請求項１〜５のいずれかに記載の基礎構築用型枠支持具をその要旨とした。
【００１２】
請求項７記載の発明は、型枠支持部が、型枠の高さに対応して別の型枠支持部を連結するためのジョイント部を有することを特徴とする請求項１〜６のいずれかに記載の基礎構築用型枠支持具をその要旨とした。
【発明の効果】
【００１３】
本発明の鉄筋を配した基礎の構築に使用される型枠支持具１１は、型枠Ｆを支持する型枠支持部１３が地盤上に設けた捨てコン１０２に打ち込み固定される固定板１２上に立設されるとともに略Ｔ字状となっていることから、型枠Ｆ背後に固定土Ｓを入れて該型枠Ｆを固定するといった従来の合板や鋼板などの型枠Ｆの固定方法に加え、ラス型枠などの型枠Ｆを支持する場合には、該型枠Ｆを番線などで型枠支持部１３に取り付ければ、該型枠Ｆの固定ができる。
【００１４】
またこの型枠支持具１１によれば、鉄筋保持部１４が、前記地盤に当接する２本の脚部１４ａ、１４ｂの分岐部分１４ｃで鉄筋２０を保持する二股構造を有していることから、ベース鉄筋２０の側筋２１を簡単、かつ確実に保持することができ、ベース鉄筋２０の枠組み布設作業の効率化を図ることができる。
【発明を実施するための最良の形態】
【００１５】
以下、本発明の基礎構築用型枠支持具（以下、単に支持具という）を図面に示した一実施の形態に従って詳細に説明する。図１〜図４に示す支持具１１は、鉄筋２０を配した基礎１００の構築に使用されるものであり、固定板１２と型枠支持部１３と鉄筋保持部１４と延設部１５とからなる。尚、支持具１１は、ポリプロピレンなどの合成樹脂製のほか、鉄、ステンレスなどの金属製など、その素材は任意であるが、図示の例では、ＡＢＳなどの合成樹脂素材を用いて、これら支持具１１を構成する固定板１２、型枠支持部１３、鉄筋保持部１４、及び延設部１５を一体に成形（射出成形）して作製した。
【００１６】
固定板１２は、断面コ字型をなす板であり、その底面が捨てコン１０２上に設置される。そして、該固定板１２の両端部に設けた孔またはＵ字状の溝１２ａを通してネジやアンカーピン（図示しない）を捨てコン１０２中に打ち込むことで該支持具１１が固定されるようになっている。尚、固定板１２を設置して固定する地盤の範疇には、図６に示すように、掘削溝１０１を平した地盤上にコンクリートを打設してなる捨てコン１０２のほかに、掘削溝１０１を平しただけの地盤も含まれる。
【００１７】
この固定板１２上に型枠支持部１３が立設されている。型枠支持部１３は、型枠Ｆを支持するものであり、その形状は略Ｔ字状となっている。そして、この略Ｔ字状の型枠支持部１３によって型枠Ｆの支持がなされるようになっている。この型枠支持部１３に支持される型枠には、従来の合板や鋼板などの型枠のほかに、金網を用いたラス型枠を用いることもできる。合板や鋼板などの型枠Ｆを用いる場合、型枠Ｆを型枠支持部１３に当着させて支持させると共に、型枠Ｆ背後に固定土Ｓを入れて該型枠Ｆを固定するといった従来の固定方法を用いることができる。一方、ラス型枠などの型枠Ｆを用いる場合には、該型枠Ｆを番線などで型枠支持部１３に取り付けることで該型枠Ｆの固定ができる。尚、ラス型枠を型枠支持部に取り付ける場合、番線のほかに型枠支持部の横辺端部に孔を空けて、この孔を通して型枠をリベットなどで取り付ける方法を採ることもできる。
【００１８】
また型枠保持部１３は、図示のように型枠Ｆの高さに対応して別の型枠支持部を連結するためのジョイント部１３ａを有する形態を採ることもできる。この形態の場合、様々な高さを有する型枠に対応することができるので、型枠の高さ（種類）によってこれに対応する支持具を取り揃えておく必要が無い。
【００１９】
鉄筋保持部１４は、型枠支持具１１において、鉄筋、すなわちベース鉄筋２０の側筋２１を保持する部分である。この鉄筋保持部１４は、地盤に当接する２本の脚部１４ａ、１４ｂを持つ二股構造を有している。そして、これら２本の脚部の分岐部分１４ｃで側筋２１を保持するようになっている。
【００２０】
上記の如く、図示の例では該支持具１１を合成樹脂により一体成形することで作製しており、鉄筋保持部１４の脚部１４ａ、１４ｂはバネ弾性を有している。このため、脚部１４ａ、１４ｂをバネ力に抗して拡開して鉄筋２１を分岐部分１４ｃに差し入れることで、該鉄筋２１が２本の脚部１４ａ、１４ｂのバネ力でこれらの間に保持されるようになっている。
【００２１】
また鉄筋保持部１４の２本の脚部１４ａ、１４ｂの分岐部分１４ｃには、係止突起１４ｄが設けられており、２本の脚部１４ａ、１４ｂ間の分岐部分１４ｃに保持された鉄筋２１が抜け落ちを防止するようになっている。図３は、各脚部１４ａ、１４ｂの根元部分に鉄筋２１の差し入れ方向に傾いて突出する係止突起１４ｄを設けた形態を示し、図４は、分岐部分１４ｃを構成する各脚部１４ａ、１４ｂの根元部分に鋸状に多数の係止突起１４ｄを設けた形態を示している。
【００２２】
また鉄筋保持部１４の２本の脚部１４ａ、１４ｂの分岐部分１４ｃは、コンクリートの被り厚さを確保する高さ位置に設けられているので（６０ｍｍ以上）、分岐部分１４ｃに鉄筋２１を保持させるだけで、被り厚さを確保することができるというメリットを有する。
【００２３】
延設部１５は、前記型枠支持部１３と鉄筋保持部１４とに繋がる部分を構成するものである。図示の例において、延設部１５は、型枠支持部１３と鉄筋保持部１４に上部１５ａと下部１５ｂとで繋がっている。またこの延設部１５は、鉄筋保持部１４に保持された鉄筋２１の被り厚さを確保する長さ、すなわち６０ｍｍ以上に設けられている。
【００２４】
次に、上述の支持具を使用した基礎の構築作業について説明する。図１〜図４、並びに図６に示すように、まず基礎１００を構築する予定箇所を掘削して掘削溝１０１を設ける。次いで、基礎１００を構築する掘削溝１０１の底面を平してコンクリートを打設して捨てコン１０２を設ける。次いで、図２に示すように、所定間隔をおいて捨てコン１０２上に支持具１１を固定する。支持具１１は、その固定板１２の両端部に設けた孔またはＵ字状の溝１２ａを通してネジやアンカーピン（図示しない）を捨てコン１０２中に打ち込むことで固定する。次いで、支持具１１の鉄筋保持部１４を構成する２本の脚部１４ａ、１４ｂをバネ力に抗して拡開し、これら脚部１４ａ、１４ｂ間の分岐部分１４ｃに鉄筋２１を差し入れる。これにより、鉄筋２１は２本の脚部１４ａ、１４ｂのバネ力でこれらの根元部分の分岐部分１４ｃに保持されるようになる。この後、側筋２１上に横筋２２を番線で組み付け、さらに横筋２２の中央に縦筋２３を同じく番線で組み付けてベース鉄筋２０を枠組み布設する。また、ベース鉄筋２０の横筋２２と縦筋２３の交差部分には、立ち上がり筋２４を組み付けて、基礎１００における鉄筋の枠組み布設が完了する。
【００２５】
一方、捨てコン１０２上に固定した支持具１１の型枠支持部１３に型枠Ｆを支持させる。図示の例では、ラス型枠を用いる場合を示しており、該型枠Ｆは番線などで型枠支持部１３に取り付けることで該型枠Ｆの固定が完了する。
【００２６】
上記の如くして鉄筋の枠組み布設、支持具への型枠の固定が完了した後、コンクリートを打設して基礎を構築するのである。
【００２７】
尚、本発明は、図面に示した例に限定されるものではなく、例えば鉄筋保持部１４によって鉄筋２１を保持した後、鉄筋保持部１４の分岐部分１４ｃの下側の２本の脚部１４ａ、１４ｂに番線を巻き付けて該脚部１４ａ、１４ｂを拘束することで、鉄筋２１の保持をより確実ならしめるようにするなど、特許請求の範囲に記載した範囲内で自由に変更することができる。
【図面の簡単な説明】
【００２８】
【図１】本発明の支持具を示す拡大斜視図。
【図２】本発明の支持具を用いて鉄筋の枠組み布設、並びに支持具への型枠の固定を行った状態を示す平面図。
【図３】本発明の支持具における鉄筋保持部の２本の脚部分の根元部分に設けた分岐部分に鉄筋を保持する一形態を示す拡大断面図。
【図４】本発明の支持具における鉄筋保持部の２本の脚部分の根元部分に設けた分岐部分に鉄筋を保持する別形態を示す拡大断面図。
【図５】従来の型枠支持具を用いて鉄筋の枠組み布設、並びに支持具への型枠の固定を行った状態を示す斜視図。
【図６】同じく拡大断面図。
【符号の説明】
【００２９】
１１・・・支持具
１２・・・固定板
１２ａ・・・孔またはＵ字状の溝
１３・・・型枠支持部
１３ａ・・・ジョイント部
１４・・・鉄筋保持部
１４ａ、１４ｂ・・・脚部
１４ｃ・・・分岐部分
１４ｄ・・・係止突起
１５・・・延設部
１５ａ・・・上部
１５ｂ・・・下部
２０・・・ベース鉄筋
２１・・・側筋
２２・・・横筋
２３・・・縦筋
２４・・・立ち上がり筋
１００・・・基礎
１０１・・・掘削溝
１０２・・・捨てコン
Ｘ・・・番線
Ｆ・・・型枠
【図１】
2008248526.tif 000003
【図２】
2008248526.tif 000004
【図３】
2008248526.tif 000005
【図４】
2008248526.tif 000006
【図５】
2008248526.tif 000007
【図６】
2008248526.tif 000008